【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
１台または複数台の室外機と、
冷媒の流入量若しくは流出量を調整し、または冷媒の流入若しくは流出を遮断する第１の冷媒回路遮断器を有する１台または複数台の第１の室内機と、
冷媒回路遮断器を有さない１台または複数台の第２の室内機と、
前記第２の室内機へ流入しまたは前記第２の室内機から流出する冷媒を分配する１台または複数台の分配機と、を備え、
前記室外機、前記第１及び第２の室内機及び前記分配機が伝送線及び同一の冷媒配管により接続された空気調和機であって、
前記室外機は、第１の電源及び前記伝送線に接続されて、前記第１の室内機及び前記分配機への電力供給を可能とする伝送線電源回路を備え、
前記分配機は、第２の電源に接続されて、前記分配機の主管側に、前記分配機への冷媒の流入量若しくは流出量を調整し、または冷媒の流入若しくは流出を遮断する第２の冷媒回路遮断器と、前記第２の電源の停電を検出する第１の停電検出回路とを備え、前記第１の停電検出回路にて前記第２の電源の停電が検出されると前記伝送線から供給される電力によって、前記第２の冷媒回路遮断器を動作させることで前記第２の室内機のすべてを前記冷媒配管から分離し、
前記第１の室内機は、第３の電源に接続されて前記第３の電源の停電を検出する第２の停電検出回路を備え、前記第２の停電検出回路にて前記第２の電源の停電が検出されると前記伝送線から供給される電力によって、前記第１の冷媒回路遮断器を動作させることで前記第１の室内機を前記冷媒配管から分離することを特徴とする空気調和機。
【請求項２】
前記第２の冷媒回路遮断器は電子膨張弁を備え、
前記電子膨張弁は、前記第２の室内機または前記分配機における停電の検出により閉じることを特徴とする請求項１に記載の空気調和機。
【請求項３】
前記第２の冷媒回路遮断器は電磁弁を備え、
前記電磁弁は、前記第２の室内機または前記分配機における停電の検出により閉じることを特徴とする請求項１に記載の空気調和機。
【請求項４】
前記第２の冷媒回路遮断器は通電時には開状態で冷媒の流出入を可能とし、非通電時には閉状態で冷媒を遮断する構成であり、
前記第２の電源が停電すると、前記第２の冷媒回路遮断器への電力供給が停止することで冷媒が遮断されることを特徴とする請求項１に記載の空気調和機。
【請求項５】
冷媒回路と、
前記冷媒回路に接続され、１個または複数個の第１の電源に接続された１台または複数台の室外機と、
前記冷媒回路に接続され、１個または複数個の第２の電源に接続された１台または複数台の第１の冷媒回路遮断器を有する第１の室内機と、
主管が前記冷媒回路に接続され、第３の電源に接続された第２の冷媒回路遮断器を有する分配機と、
前記分配機の前記主管から分岐した枝管を介して前記冷媒回路に接続され、外部から給電可能な構成を含み冷媒回路遮断器を有さない第２の室内機と、を備え、
前記第２の電源が停電すると前記第１の冷媒回路遮断器により前記第１の室内機を前記冷媒回路から分離し、
前記第３の電源が停電すると前記第２の冷媒回路遮断器により前記分配機の前記主管を遮断することで前記第２の室内機を前記冷媒回路から分離することを特徴とする空気調和機。
【手続補正２】
【補正対象書類名】明細書
【補正対象項目名】０００７
【補正方法】変更
【補正の内容】
【０００７】
上述した課題を解決し、目的を達成するために、本発明に係る空気調和機は、１台または複数台の室外機と、冷媒の流入量若しくは流出量を調整し、または冷媒の流入若しくは流出を遮断する第１の冷媒回路遮断器を有する１台または複数台の第１の室内機と、冷媒回路遮断器を有さない１台または複数台の第２の室内機と、前記第２の室内機へ流入しまたは前記第２の室内機から流出する冷媒を分配する１台または複数台の分配機と、を備え、前記室外機、前記第１及び第２の室内機及び前記分配機が伝送線及び同一の冷媒配管により接続された空気調和機であって、前記室外機は、第１の電源及び前記伝送線に接続されて、前記第１の室内機及び前記分配機への電力供給を可能とする伝送線電源回路を備え、前記分配機は、第２の電源に接続されて、前記分配機の主管側に、前記分配機への冷媒の流入量若しくは流出量を調整し、または冷媒の流入若しくは流出を遮断する第２の冷媒回路遮断器と、前記第２の電源の停電を検出する第１の停電検出回路とを備え、前記第１の停電検出回路にて前記第２の電源の停電が検出されると前記伝送線から供給される電力によって、前記第２の冷媒回路遮断器を動作させることで前記第２の室内機のすべてを前記冷媒配管から分離し、前記第１の室内機は、第３の電源に接続されて前記第３の電源の停電を検出する第２の停電検出回路を備え、前記第２の停電検出回路にて前記第２の電源の停電が検出されると前記伝送線から供給される電力によって、前記第１の冷媒回路遮断器を動作させることで前記第１の室内機を前記冷媒配管から分離することを特徴とする。
【手続補正３】
【補正対象書類名】明細書
【補正対象項目名】００１１
【補正方法】変更
【補正の内容】
【００１１】
実施の形態．
図１は、本発明の実施の形態にかかる空気調和機の構成の一例を示すブロック図である。図１に示す空気調和機は、室外機１と、室外機１に接続された冷媒配管１０と、室外機１と冷媒配管１０にて接続され、冷媒回路遮断手段であって第１の冷媒回路遮断器である冷媒回路遮断器９ｄを有する第１の室内機である室内機３と、室外機１と冷媒配管１０にて接続され、冷媒回路遮断器を有さない第２の室内機である室内機４ａ，４ｂ，４ｃと、室外機１と冷媒回路遮断器を有さない室内機４ａ，４ｂ，４ｃとの間に配され、室内機４ａ，４ｂ，４ｃへの冷媒の流入または冷媒の流出を調整し、または遮断する分配機２と、室外機１と分配機２との間における通信及び電力の供給を行う伝送線１２と、分配機２と室内機３との間における通信及び電力の供給を行う伝送線１２ａと、分配機２と室内機４ａ，４ｂ，４ｃとの間における通信及び電力の供給を行う伝送線１２ｂと、を備える。なお、冷媒配管１０は、分岐管１１，１１ａによって分岐されている。伝送線１２ｂと併設された電源線２１は、電源２０ａが給電可能である場合に電源２０ａから分配機２を介して電力を供給する電源線である。電源２０ａが停電すると、室内機４ａ，４ｂ，４ｃへの電力の供給は、伝送線１２ｂを介して行われるよう切り替えられる。
【手続補正４】
【補正対象書類名】明細書
【補正対象項目名】００２５
【補正方法】変更
【補正の内容】
【００２５】
以上説明した本実施の形態の空気調和機は、１台または複数台の室外機と、冷媒の流入量若しくは流出量を調整し、または冷媒の流入若しくは流出を遮断する第１の冷媒回路遮断器を有する１台または複数台の第１の室内機と、冷媒回路遮断器を有さない１台または複数台の第２の室内機と、前記第２の室内機へ流入しまたは前記第２の室内機から流出する冷媒を分配する１台または複数台の分配機と、を備え、前記室外機、前記第１及び第２の室内機及び前記分配機が伝送線及び同一の冷媒配管により接続された空気調和機であって、前記室外機は、第１の電源及び前記伝送線に接続されて、前記第１の室内機及び前記分配機への電力供給を可能とする伝送線電源回路を備え、前記分配機は、第２の電源に接続されて、前記分配機の主管側に、前記分配機への冷媒の流入量若しくは流出量を調整し、または冷媒の流入若しくは流出を遮断する第２の冷媒回路遮断器と、前記第２の電源の停電を検出する第１の停電検出回路とを備え、前記第１の停電検出回路にて前記第２の電源の停電が検出されると前記伝送線から供給される電力によって、前記第２の冷媒回路遮断器を動作させることで前記第２の室内機のすべてを前記冷媒配管から分離し、前記第１の室内機は、第３の電源に接続されて前記第３の電源の停電を検出する第２の停電検出回路を備え、前記第２の停電検出回路にて前記第２の電源の停電が検出されると前記伝送線から供給される電力によって、前記第１の冷媒回路遮断器を動作させることで前記第１の室内機を前記冷媒配管から分離することを特徴とする。
【手続補正５】
【補正対象書類名】明細書
【補正対象項目名】００２９
【補正方法】変更
【補正の内容】
【００２９】
または、本実施の形態の空気調和機は、冷媒回路と、前記冷媒回路に接続され、１個または複数個の第１の電源に接続された１台または複数台の室外機と、前記冷媒回路に接続され、１個または複数個の第２の電源に接続された１台または複数台の第１の冷媒回路遮断器を有する第１の室内機と、主管が前記冷媒回路に接続され、第３の電源に接続された第２の冷媒回路遮断器を有する分配機と、前記分配機の前記主管から分岐した枝管を介して前記冷媒回路に接続され、外部から給電可能な構成を含み冷媒回路遮断器を有さない第２の室内機と、を備え、前記第２の電源が停電すると前記第１の冷媒回路遮断器により前記第１の室内機を前記冷媒回路から分離し、前記第３の電源が停電すると前記第２の冷媒回路遮断器により前記分配機の前記主管を遮断することで前記第２の室内機を前記冷媒回路から分離することを特徴とする。